(57)【特許請求の範囲】
【請求項１】
少なくとも一つの可撓な側面または壁を有する容器内の気体の濃度を判定する方法であって、該方法は、
１つの位置において、少なくとも１つの側面または壁を、少なくとも１つの第二の側面または壁に向かってある距離だけ押し、それにより、第二の位置での容器を膨張または拡張させて前記容器の形状を修正し、第二の位置に、前記容器を介して判定可能な光路長を作り出すことによって、前記容器を介して判定可能な光路長を作り出す工程、
前記容器の膨張または拡張した一部を介して光源ヘッドと検出器ヘッドとの間で光信号を送信する工程、
検出された光および前記判定可能な光路長に基づいて、前記容器内の前記気体の前記濃度を判定する工程
を含む、方法。
【請求項２】
前記少なくとも一つの可撓な側面または壁に対して、光源ヘッドおよび検出器ヘッドを位置決めする工程、または、
前記光源ヘッドおよび/または検出器ヘッドを前記容器の少なくとも一つの壁または側面に向かって移動させる工程、および、
前記光源ヘッドおよび/または前記検出器ヘッドが前記容器の前記壁又は側面と接触している時を検出する工程、を含む、請求項１に記載の方法。
【請求項３】
前記容器の形状を修正する工程は、
壁を有するエンクロージャ中で前記容器の位置決めする工程、
前記エンクロージャの空気を少なくとも部分的に排出させる工程であって、それにより前記容器の前記壁または側面を前記エンクロージャの壁と接触させるように前記容器を拡張する工程であって、それにより前記容器を介して前記判定可能な光路長を作り出す工程
を含むことを特徴とする、請求項１に記載の方法。
【請求項４】
前記判定可能な光路長の反対側で前記光源ヘッドおよび検出器ヘッドを位置決めする工程、または前記判定可能な光路長と同じ側で前記光源ヘッドと検出器ヘッドを位置決めし、反対側で反射手段を位置決めする工程を含む、請求項１乃至３の何れかに記載の方法。
【請求項５】
２つのレーザービームの使用に基づいた較正ルーチンを含み、または、既知の気体の濃度、および未知の気体の濃度を有する容器の判定可能な光路長と等しい判定可能な光路長、を有する第二の容器の測定に基づいた、較正ルーチンを含む、請求項１乃至４の何れかに記載の方法。
【請求項６】
前記容器は、少なくとも部分的に透明な、フィルムなどの可撓な保護膜を備えるトレーであり、機械的な手段によって前記可撓な保護膜を押し下げる工程であって、ここで光信号は、前記トレーの前記可撓な保護膜を介して、およびヘッドスペースを介して、および前記トレーの側壁で、前記光源によってある角度で送信される工程、および、側壁によって反射された、または側壁を介して送信された信号を検出する工程を含むことを特徴とする、請求項１乃至５の何れかに記載の方法。
【請求項７】
少なくとも一つの可撓な側面または壁を有する容器内の気体濃度を測定するシステムであって、該システムは、
光源ヘッドおよび検出器ヘッド、
前記容器の前記壁または側面の外部どうしの間で接触させ、それによって、前記容器を介して判定可能な光路長を作り出す手段であって、前記手段は、１つの第一の位置において、前記容器の少なくとも１つの側面または壁を、少なくとも１つの第二の側面または壁に向かってある距離だけ押し、それにより、第二の位置での容器を膨張または拡張させ、押す際に第二の位置に、前記容器を介して判定可能な光路長を作り出すように構成される、機械的な取付具である、手段、
検出された光および判定された光路長に基づいて、前記容器中の気体の前記濃度を判定するための制御ユニットを含む、システム。
【請求項８】
前記手段は、前記容器の少なくとも１つの壁または側面に接するように前記光源ヘッド及び／又は検出器ヘッドを位置づけるために移動可能であり、
前記手段は、前記光源ヘッド及び／又は検出器ヘッドが容器の少なくとも１つの壁または側面にいつ接するか検出するためのセンサを含む
ことを特徴とする、請求項７に記載のシステム。
【請求項９】
前記容器は、少なくとも部分的に透明な、フィルムなどの可撓な保護膜を備えるトレーであり、前記手段は前記可撓な保護膜を押し下げるように構成された機械的な手段であり、光源は、前記トレーの前記可撓な保護膜を介して、およびヘッドスペースを介して、および前記トレーの側壁において、ある角度で前記光信号を送信するように構成され、検出器は、前記トレーの前記側壁によって反射されるか、または該側壁を介して送信される前記光信号を検出するように配置されていることを特徴とする、請求項７に記載のシステム。
【請求項１０】
前記光源ヘッドおよび検出器ヘッドは、前記判定可能な光路長の反対側に配置されるように構成され、または、前記光源ヘッドおよび前記検出器ヘッドは、前記判定可能な光路長の同じ側に配置されるように構成され、反射手段は前記容器の反対側に配置されることを特徴とする、請求項７乃至９の何れかに記載のシステム。
【発明の詳細な説明】
【技術分野】
【０００１】
本開示は、明確には定められていない外部の形状を有する容器中で、気体状内容物の濃度を判定することに、概略的に関する。特に、本開示は容器中の気体状内容物の気体吸収分光法に関する。とりわけ本開示は、光学的に透明または半透明である少なくとも１つの可撓性または可変の壁を備える容器中の、光路長を決定または較正することに関する。
【背景技術】
【０００２】
光吸収分光学は非侵入性・非破壊方法で、コンテナ内部の気体種を測定するために確立された方法である。従来の分析では、手順において、測定すべき気体種を含む容量内の光路長が十分に定められている必要があり、これは例えば、光学グレードの透明壁を備える特殊な目的の容器（ガラス瓶）および壁の間の既知の距離を用いることにより達成され得る。しかしながら、分光測定の目的のために設計されていない容器の内部の気体を、モニターしまたは定量化することを可能にする特定の用途には、大きなニーズがある。こうした用途の例としては、耐用年数を延長するか保証するために気体置換包装（ＭＡＰ）を利用する食料のパッケージが含まれている。パッケージは、通常、分光分析を念頭に置いて設計されてはおらず、可撓なまたは軟性材料で製作され得る。工程管理および品質管理の目的のために、こうした容器の気体状の内容物を測定することが望ましい。同様の用途は、医薬品や他の医療製品の包装の分野に存在する。このような測定は、手動でまたは自動化された方法で、製造または輸送物流のラインにおいて実行され得る。
【０００３】
したがって、こうしたコンテナ内の光路長を判定するための、新しい改良された装置および方法は、有利であろう。
【発明の概要】
【０００４】
従って、本開示の例は、可撓または可変な光学的に透明または半透明の壁を備える容器内で光路長を決定するための、デバイス、システム、または方法を、添付の特許請求の範囲に従って提供することによって、上記のように認識されている単独で又は任意の組み合わせのように、当該技術分野における１以上の欠陥、欠点、又は問題を、軽減し、緩和し、又は排除することに好ましくは努める。
【０００５】
本明細書中で容器は、少なくとも１つの可撓な壁を備える容器、または例えば内容物によっては、予測不能な経路長を備える容器のいずれかであってもよい。そのような容器の例は、限定されないが、可撓性の袋、例えば、プラスチック製の袋、または、例えばカバーするラップフィルム（ｃｌｉｎｇ  ｆｉｌｍｓ）またはプラスチックのラップを有するトレー、食料品に使用される半剛性プラスチック製または剛性プラスチック製のトレーである。
【０００６】
第一の態様において、少なくとも一つの可撓なまたは可変の側面または壁を有する容器内の気体の濃度を判定する方法が開示されている。方法は、ある形状を有する前記容器を介して判定可能な光路長を作り出す工程を含む。
【０００７】
判定可能な光路長を作り出すための本明細書に開示されるいくつかの技術は、可撓性または半剛性の容器の形状を変更することに関する。容器の形状を変更することにより、一定の光路長が２点間に設けられてもよい。光路長はその後、変更される容器の壁との間に得られる一定の距離からか、または較正ルーチンを使用する気体状内容物の濃度判定の一部として間接的に、設定され得る。
【０００８】
吸収信号（Ａｂｓｏｒｐｔｉｏｎ  ｓｉｇｎａｌ）は、判定可能な光路長を介して光源ヘッドと検出器ヘッドとの間で光信号を送信することにより、記録され又は取得される。検知された光と判定可能な光路長に基づいて容器内の気体の濃度を判定する。
【０００９】
吸収信号は、少なくとも１つの不連続な波長からの、完全な吸収スペクトルまたは信号であり得る。
【００１０】
本開示のいくつかの例において、方法は、ある形状を有する容器を介して判定可能な光路長を作り出すために容器の形状を変更する工程を含む。
【００１１】
本開示のいくつかの例は、少なくとも一つの可撓性または可変の側面または壁に対する、光源ヘッドおよび検出器ヘッドの位置決めをさらに含む。
【００１２】
光ヘッドおよび検出器ヘッドの位置決めは、容器の形状の変更と同時に、または形状の変更に続いて行われ得る。
【００１３】
形状が変更された後に、固定された判定可能な光路長は、容器の少なくとも二つの壁または側面どうしの間で得られる。光路長はその後確立され得る。代替的に、同じ型の容器の光路長は、繰り返しが可能な固定された同一の距離であり得るので、測定条件をたどることができる。したがって、容器を介して光路長を直接判定する代わりに、較正ルーチンを実行してもよい。較正ルーチンは、既知の濃度の気体を有する１以上の類似した容器であって、光路長が作り出された、未知の濃度の気体を有する容器の光路長と同じ距離に固定された容器、を測定する工程を含む。
【００１４】
本開示のいくつかの例において、容器の形状の変更は、少なくとも二つの移動可能な仮取付端（ｔｅｍｐｏｒａｒｙ  ａｔｔａｃｈｍｅｎｔ  ｐｏｉｎｔ）などの少なくとも１つの移動可能な仮取付端を用いることにより、少なくとも１つの側面又は壁を、少なくとも１つの第二の側面又は壁に対してある距離だけ引張る工程であって、それにより容器を介して判定可能な光路長を作り出す工程、を含む。
【００１５】
本開示のいくつかの例において、この方法は、例えば少なくとも２つの移動可能な仮取付端などの移動可能な仮取付端を、前記容器に向かって動かす工程、および、移動可能な仮取付端に対して少なくとも１つの壁または側面を仮取付する工程であって、それにより容器を介して判定可能な光路長を作り出す工程を含む。
【００１６】
本開示のいくつかの例において、方法は、１つの位置において、少なくとも１つの側面または壁を、少なくとも１つの第二の側面または壁に向かってある距離だけ押すことにより、容器の形状を変更する工程であって、それにより第二の位置で容器を膨張させて、第二の位置で容器を介して判定可能な光路長を作り出す工程、を含む。
【００１７】
本開示のいくつかの例において、方法は、容器の少なくとも１つの壁または側面に向かって光源ヘッド及び／又は検出器ヘッドを移動させる工程、および光源ヘッド及び／又は検出器ヘッドが容器の壁または側面といつ接触するかを検出する工程、を含む。光源ヘッドと検出器ヘッドの間の距離は、容器を介して判定可能な光路長を作り出している。
【００１８】
代替的に、１つの側面の光源ヘッドおよび検出器ヘッドと、反対の側面の反射器の間の距離は、容器を介して判定可能な光路長を作り出している。
【００１９】
本開示のいくつかの例において、容器の形状の変更は、壁を有するエンクロージャ中で容器の位置決めする工程、およびその後エンクロージャの空気を少なくとも部分的に排出させる工程を含む。除去は、容器を拡張することであり、その結果、容器の壁または側面をエンクロージャの壁と接触させ、それにより容器を介して判定可能な光路長を作り出す。
【００２０】
本開示のいくつかの例において、方法は、前記判定可能な光路長の反対側面で光源ヘッドおよび検出器ヘッドを位置決めする工程を含む。方法は、代替的に、判定可能な光路長と同じ側で光源ヘッドと検出器ヘッドを位置決めし、および反対側で反射手段を位置決めする工程を含む。
【００２１】
本開示のいくつかの例において、方法は、前記判定可能な光路長を測定する代わりに、２つのレーザービームの使用に基づいて較正ルーチンを利用する工程、を含む。
【００２２】
代替的に、方法は、既知の気体の濃度、および未知の気体の濃度を有する容器の判定可能な光路長と等しい判定可能な光路長、を有する第二の容器の測定に基づいた、較正ルーチンを含み得る。
【００２３】
方法のいくつかの例において、容器は、少なくとも部分的に透明な、フィルムなどの可撓な保護膜を備えるトレーである。方法は、機械的な方法によって可撓な保護膜を押し下げる工程を含み、ここで光信号は、トレーの可撓な保護膜を介して、およびヘッドスペースを介して、およびトレーの側壁で、光源によってある角度で送信され、前記方法は、側壁によって反射された、または側壁を介して送信された信号を検出する工程を含む。
【００２４】
さらなる態様において、少なくとも一つの可撓なまたは可変の側面または壁を有する容器内の気体の濃度を測定するシステムが開示されている。システムは光源ヘッドおよび検出器ヘッドを含む。システムは、容器の壁または側面の外部どうしの間で接触させるための手段であって、それによって接触の際に、容器を介して判定可能な光路長を作り出すための手段をさらに含む。システムはまた、接触の際に検出された光および測定された光路長に基づいて、容器中の気体の濃度を判定するための制御ユニットを含み得る。
【００２５】
本開示のいくつかの例において、手段は、容器を介した判定可能な光路長を作り出すために、容器の少なくとも１つの側面または壁を、少なくとも１つの第二の側面または壁に対してある距離で引っ張るための、容器の壁または側面の外部に取り付ける少なくとも１つの移動可能な仮取付端である。
【００２６】
本開示のいくつかの例において、手段は、ある位置において、容器の少なくとも１つの側面または壁を、少なくとも１つの第二の側面または壁に向かってある距離だけ押すための、機械的な取付具である。第一の位置で押すことは、第二の場所での容器を膨張させ得、それにより、押す際に第二の場所に、容器を介して判定可能な光路長を作り出し得る。
【００２７】
本開示のいくつかの例において、手段は、容器の少なくとも１つの壁または側面に接するように光源ヘッド及び／又は検出器ヘッドを位置づけるために移動可能である。さらに、手段は、光源ヘッド及び／又は検出器ヘッドが容器の少なくとも１つの壁または側面にいつ接するか検知するためのセンサを含み、それによって、容器を介して判定可能な光路長を作り出す。
【００２８】
本開示のいくつかの例において、手段は、配置される容器のために構成されたエンクロージャである。手段は、少なくとも部分的にエンクロージャの空気を排出するためのユニットを含み、ここで容器は容器の壁または側面がエンクロージャの壁と接触し得るように拡張される。少なくとも部分的に、空気の排出は、容器を介して判定可能な光路長を作り出し得る。
【００２９】
本開示のいくつかの例において、光源ヘッドおよび検出器ヘッドは、判定可能な光路長の反対側面に配置される。代替的に、光源ヘッドおよび検出器ヘッドは、判定可能な光路長の同じ側に配置され、反射手段は容器の反対側に配置される。
【００３０】
本開示のいくつかの例において、容器は、少なくとも部分的に透明な、フィルムなどの可撓な保護膜を備えるトレーである。接触させる手段は、可撓な保護膜を押し下げる機械的な手段であり、光信号は、トレーの可撓な保護膜を介して、およびヘッドスペースを介して、およびトレーの側壁で、光源によってある角度で送信され、信号は、トレーの側壁によって反射され、または側壁を介して送信され、検出器によって検出される。
【００３１】
本開示による幾つかの代替的な例において、少なくとも一つの可撓なまたは可変の側面または壁を有する容器内の、少なくとも第一の気体の濃度を判定する方法が開示されている。方法は、容器を介して光路長を推定する工程を含む。方法は、推定された光路長を介して光源と検出器の間の第一の光信号を送信する工程、および第一の光信号の検出された光および光路長に基づいて、容器中の第一の気体の濃度を判定する工程、をさらに含む。
【００３２】
本開示によるいくつかの更なる代替的な例において、少なくとも一つの可撓なまたは可変の側面または壁を有する容器中で、少なくとも１つの第一の気体の濃度を判定するシステムが開示される。システムは、容器を介して第一の光信号を送信するための光源および検出器を含む。装置は、第一の光信号が容器を介して伝わる未知の光路長を推定するための推定ユニット、第一の光信号の検出された光と推定ユニットによって推定された光路長に基づき、容器中の少なくとも第一の気体の濃度を判定するための制御ユニットを、さらに含む。
【００３３】
用語「含む（ｃｏｍｐｒｉｓｅｓ／ｃｏｍｐｒｉｓｉｎｇ）」は、本明細書で使用される場合に、明示された特徴、整数、工程、又は要素を特定すると見なされるが、１以上の他の特徴、整数、工程、要素、又はそれらの群の存在又は追加を妨げないことが、強調されねばならない。
【図面の簡単な説明】
【００３４】
本開示の例が可能である、これら及び他の態様、特徴、及び利点は、本開示の例の以下の説明、添付の図面に行われる言及から明白であり、且つ解明されることとなる。
【図１】図１は、壁または側面を引っ張ることにより、容器を介して判定可能な光路長を作り出す例を示している；
【図２】図２は、壁または側面を押すことにより、容器を介して判定可能な光路長を作り出す例を示している；
【図３】図３は、壁または側面を押すことにより、容器を介して判定可能な光路長を作り出す別の例を示している；
【図４】図４は、排気可能なエンクロージャ中に容器を配置することにより、容器を介して判定可能な光路長を作り出す例を示している；
【図５】図５は、第二の気体の測定のためにパラレル・チャネルを含むシステムの例を示している；
【図６】図６は、第二の気体の測定のためにパラレル・チャネルを含むシステムの別の例を示している；
【図７】図７は、トレー上の反射率測定を示している；
【図８】図８は、典型的な共焦点（ｃｏｎｆｏｃａｌ  ｐｏｉｎｔ）の構造を使用した、トレー上の測定を示している；
【図９】図９は、別の典型的な共焦点の構造を使用した、トレー上の測定を示している；
【図１０】図１０は、引っ張り構成（ｐｕｌｌｉｎｇ  ｃｏｎｆｉｇｕｒａｔｉｏｎ）の典型的な実験からの結果を示している；
【図１１】図１１は、押す構成（ｐｕｓｈｉｎｇ  ｃｏｎｆｉｇｕｒａｔｉｏｎ）の典型的な実験からの結果を示している；
【図１２】図１２は、自動検知式構造（ａｕｔｏ−ｓｅｎｓｉｎｇ  ｃｏｎｆｉｇｕｒａｔｉｏｎ）の典型的な実験からの結果を示している；
【図１３】図１３のＡ及びＢは、光ビームが、トレーの上部およびトレーの側壁を介してある角度で向けられている、例示的な気体測定の構造を示している；及び
【図１４】図１４は、トレー上での例示的な０２の測定からの結果を示している；
【発明を実施するための形態】
【００３５】
以下の開示は、可撓または可変な光学的に透明または半透明の壁を備える容器中で、光路長の判定に適用可能な本開示の例に焦点を当てている。例えば、これは、容器内の気体状の内容物の吸収分光法によって気体の濃度を判定するために、有利である。しかし、本発明は、本出願に限定されるものではないが、判定される必要がある光路長の多くの他のシステムに適用され得る。
【００３６】
吸収信号は、少なくとも１つの不連続な波長からの、完全な吸収スペクトルか、または信号であり得る。
【００３７】
測定の対象となる容器は、透明、または半透明（ｓｅｍｉ−ｔｒａｎｓｐａｒｅｎｔ）、または半透明の（ｔｒａｎｓｌｕｃｅｎｔ）材料から構成されると想定されている。あるいは容器は、透明か、半透明か、半透明の材料で作られた窓を備えていてもよく、それは少なくとも部分的に容器の壁または側面を覆う。容器は、いくつかの例において、反対の壁または側面で２つの窓を備え得る。
【００３８】
容器の壁または側面は非剛性（可撓な可撓な）  であってもよく、または壁は剛性であってもよいが、そのプロセスは、容器内部の光路長が個々の容器または測定状況の間で予測できない方法により変化するようなものである。光が移動する容器を介した光路長の判定によって、気体状の内容物の吸収は、例えばＢｅｅｒ−Ｌａｍｂｅｒｔ  ｌａｗを用いて計算され得る。代替的および／または付加的に、いくつかの例において、固定された後の光路長の判定の代わりに、較正又は基準は、気体状の内容物の濃度を得るために使用され得る。
【００３９】
図１に示される例において、システム１００は、測定の間、容器１１に対して付けられる少なくとも１つの移動可能な仮取付端１２、および第２の固定された仮取付端を含む。  
【００４０】
あるいは、システム１００は、判定可能な光路長の両側に作られる少なくとも２つの移動可能な仮取付端１２を含み得る。
【００４１】
取付は、限定されないが、吸引（真空）、接着剤、または静電気によって達成され得る。光学測定装置は、仮取付端１２において、またはその上、またはその横に取り付けられた、少なくとも１つの光源ヘッド１３及び少なくとも１つの検出器ヘッド１４を含む。光源ヘッド１３および検出器ヘッド１４は、仮取付端１２のために与えられたいくつかの点の間の距離が既知である場合、光源ヘッド１３および検出器ヘッド１４の間の距離Ｌも既知であるような方法で取り付けられる。さらに、移動可能な仮取付端１２が容器１１に取付けられる場合、光源ヘッド１３および検出器ヘッド１４は、容器壁に接して、又はその付近に非常に近接し、または、壁に対して既知の距離にある。測定を行なう前に、容器１１は仮取付端１２の間に配置され、次に取付端１２の少なくとも１つは、十分な数のそれらが容器１１と接触するまで、容器１１の方へ動かされる。仮取付端１２が容器壁に付着した時に、仮取付端１２は、容器壁を離して、距離Ｌを有するあらかじめ判定された光路長まで機械的に引っ込められる。したがって、容器１１の壁または側面を分割する場合、容器１１の形状は距離Ｌを有する判定可能な光路長を生じるよう変更される。
【００４２】
代替的に、判定可能な光路長は、別々に押すことでの壁または側面の分離による更なる調整なしで、仮取付端１２が最初に容器と接触する場合、距離としてとられる。
【００４３】
図１のＡは、少なくとも１つの仮取付端１２が容器に付着しようとしている、測定前の状況を表している。図１のＢは、仮取付端１２が容器１１に付着している測定中の状況を表している。
【００４４】
別の例において、光源ヘッドおよび検出器ヘッドは機械的に取り付けられ、その結果、それらの少なくとも１つが少なくとも１つの自由度で移動され得、それにより光源ヘッドおよび検出器ヘッドは容器壁と緊密に接触するようになる。また、光源ヘッドと検出器ヘッドとの間の距離は、限定されないが、あらゆる位置で距離の機械的な較正によって、または、それらのそれぞれの位置の電子的または光学的判定のいくつかの手段、ならびにそれらの間での距離の連続的な計算によって、既知で有り得る。測定を行なう前に、容器は光源ヘッドと検出器ヘッドとの間に配置され、その後、光源ヘッドおよび／または検出器ヘッドは、それらの両方が容器と接触するまで容器に向かって動かされる。自動検知式プロセスなどの自動化されたプロセスにおいて、光源ヘッドおよび検出器ヘッドがいつ容器壁と接触したかを検知するためのいくつかの手段があり、例えばそれは、限定されないが、マイクロスイッチ、電気的、または光学的な方法である。
【００４５】
代替的にいくつかの例では、光源ヘッドと検出器ヘッドが、一定の距離で取り付けられている。測定前に、容器は光源ヘッドおよび検出器ヘッドの中間に押し込められる。光源ヘッドと検出器ヘッドとの間の一定の距離は、含有されるものが実質的に空間の全てを占め、およびレーザーと検出器ヘッドが容器壁と近接するような距離である。したがって、容器内部の光路長は既知である。
【００４６】
代替的にいくつかの例において、仮取付端により光路長が固定された後、容器を介する光路長を判定する代わりに、図５に関連して記載されるような較正方法が、容器１１内の気体内容物の濃度を確立するために使用され得る。
【００４７】
付加的及び／又は代替的に、図１に表されるシステム１００のいくつかの例において、容器１１内部の光路長Ｌを直接判定する代わりに、較正の手段によって気体濃度を得ることが可能である。較正は、既知の気体の濃度を有する１つ以上の容器上で、測定を行なうことにより行われ得る。検出器によって得られる、記録された信号は、容器中の特定の気体の濃度に対応する。その後、気体濃度は、測定条件が較正中に使用される測定条件をたどることができる限り、光路長を直接確立せずに、未知の濃度の気体を備えた容器１１について測定され得る。たどることができる測定条件を確立する１つの方法は、図１と共に開示された技術を使用することである。
【００４８】
図２において示される別の例において、測定の対象となる容器２１を含むシステム２００は、容器２１の１つの位置において壁に機械圧力を加える、機械的な取付具２２に置かれる。増加した圧力によって、容器の別の第２の位置が膨張し、容器２１の第２の位置のコンテナ壁が光源ヘッド２３および検出器ヘッド２４に対して押される。分離された壁の間の距離Ｌは、距離が既知であり得るので、光源ヘッド２３と検出器ヘッド２４の間の距離Ｌとして判定され得る。膨張後の容器容量が光源ヘッド２３と検出器ヘッド２４の間の空間のすべてを実質的に占めるので、容器２１の内部の光路長は測定され得る。
【００４９】
図２のＡは、容器２１が機械的な取付具２２の間に置かれる測定の、前の状況を表している。図２のＢは、容器２１が機械的な力によって膨張する測定の、測定中の状況を表している。
【００５０】
容器２１に対する圧力をかける機械的な取付具２２の領域は、点やクランプ状であってもよく、絞りのように構成され得る。
【００５１】
容器はここで可撓性の袋または  または半剛性のトレーであってもよい。半剛性のトレーは、例えば、トレーの少なくとも１つの壁の外圧の行使によって形状が変更されるのに十分可撓な、薄いプラスチック製であってもよい。
【００５２】
代替的にいくつかの例において、仮取付端により光路長が固定された後、容器を介する光路長を判定する代わりに、図５に関連して記載されるような較正方法が、容器２１内の気体内容物の濃度を確立するために使用され得る。
【００５３】
付加的及び／又は代替的に、図２に表されるシステム２００のいくつかの例において、容器２１内部の光路長Ｌを直接判定する代わりに、較正の手段によって気体濃度を得ることが可能である。較正は、既知の気体の濃度を有する１つ以上の容器上で、測定を行なうことにより行われ得る。検出器によって得られる、記録された信号は、容器中の特定の気体の濃度に対応する。その後、気体濃度は、測定条件が較正中に使用される測定条件をたどることができる限り、光路長を直接確立せずに、未知の濃度の気体を備えた容器２１について測定され得る。たどることができる測定条件を確立する１つの方法は、図１と共に開示された技術を使用することである。
【００５４】
図３は、図２の点で機械的な取付具２２に類似した機械的な取付具８２を含むシステム８００を示す。光源ヘッド８３および検出器ヘッド８４は機械的な取付け具８２に付着している。光源ヘッド８３および検出器ヘッド８４は、容器８１の壁に位置するように構成される領域８６を有する。これらの領域８６は、機械的な取付具８３の領域８５と並んでおり、これは容器８１に外部圧力をかけるように構成される。
【００５５】
あるいは、図３において示されるように、検出器ヘッド８４および光源ヘッド８３の領域８６は、機械的な取付具８３の領域８５からの距離を位置決めし得る。このように、容器８１の第１の位置上の圧力上昇が容器の第２位置を膨張させる場合、領域８６は容器８１の壁と接触するようになり得る。領域８６が容器８１の壁に接している場合、光路長Ｌは判定され得る。図３のＡは判定前を示し、図３のＢは、第２の位置が機械的な取付具８２からの外部圧力の行使によって膨張した場合を示している。
【００５６】
代替的にいくつかの例において、仮取付端により光路長が固定された後、容器を介する光路長を判定する代わりに、図５に関連して記載されるような較正方法が、容器８１内の気体内容物の濃度を確立するために使用され得る。
【００５７】
代替的にいくつかの例において、仮取付端により光路長が固定された後、容器を介する光路長を判定する代わりに、図５に関連して記載されるような較正方法が、容器８１内の気体内容物の濃度を確立するために使用され得る。
【００５８】
付加的及び／又は代替的に、図３に表されるシステム８００のいくつかの例において、容器８１内部の光路長Ｌを直接判定する代わりに、較正の手段によって気体濃度を得ることが可能である。較正は、既知の気体の濃度を有する１つ以上の容器上で、測定を行なうことにより行われ得る。検出器によって得られる、記録された信号は、容器中の特定の気体の濃度に対応する。その後、気体濃度は、測定条件が較正中に使用される測定条件をたどることができる限り、光路長を直接確立せずに、未知の濃度の気体を備えた容器８１について測定され得る。たどることができる測定条件を確立する１つの方法は、図１と共に開示された技術を使用することである。
【００５９】
図４において、測定の対象となる容器３１を含む系３００が示される。容器３１は、複数の、しかしすべてではない空間の方向を壁に取り囲まれたエンクロージャ３２の内部に置かれる。光源ヘッド３３および検出器ヘッド３４は、容器３２の壁の少なくとも１つに置かれる。測定を行なう前に、エンクロージャ３２の空気は少なくとも部分的に排出され、少なくとも部分的な真空をエンクロージャに作り出す。エンクロージャ内の低い気圧によって、容器の容量は拡張し、容器壁はエンクロージャの壁と接触し、したがって、光源ヘッド３３および検出器ヘッド３４と接触するようになる。エンクロージャ壁の間の距離Ｌが分かるので、容器３１の内部の光路長もこの構成の中で分かり得る。
【００６０】
図４のＡは、容器３１がエンクロージャ３２内に置かれる前の状況を表している。図４のＢは、エンクロージャ３２の空気が少なくとも部分的に排出された後の状況を表している。
【００６１】
代替的にいくつかの例において、仮取付端により光路長が固定された後、容器を介する光路長を判定する代わりに、図５に関連して記載されるような較正方法が、容器３１内の気体内容物の濃度を確立するために使用され得る。
【００６２】
付加的及び／又は代替的に、図４に表されるシステム３００のいくつかの例において、容器３１内部の光路長Ｌを直接判定する代わりに、較正の手段によって気体濃度を得ることが可能である。較正は、既知の濃度の気体のを有する１つ以上の容器上で、測定を行なうことにより行われ得る。検出器によって得られる、記録された信号は、容器中の特定の気体の濃度に対応する。その後、気体濃度は、測定条件が較正中に使用される測定条件をたどることができる限り、光路長を直接確立せずに、未知の濃度の気体を備えた容器３１について測定され得る。たどることができる測定条件を確立する１つの方法は、図４と共に開示された技術を使用することである。
【００６３】
代替的に、図１乃至４に関して示され示された例において、光源ヘッドおよび検出器ヘッドは、容器の反対側面で同じ位置および反射面に置かれ得る。こうした構成において、光は、反射面によって反射され、光は光路長の２倍の距離を移動するだろう。従って、測定される濃度の精度が増加し得る。
【００６４】
別の例において、光源ヘッドおよび検出器ヘッドは、袋またはトレーなど、固定された構成および容器に取り付けられ、測定の対象は、光源ヘッドおよび検出器ヘッドの中間または前に、光源ヘッド、および検出器ヘッドへと置かれ、  気体を調査するライトビームは容器を介して送られる。あるいは、気体を調査するビームは、容器を介して送られ、反射される。容器を介して伝わるライトビームを有することの代替は、光に関し、容器の内部の反射面に対して、ライトビームを反射することである。反射面は容器自体の内部表面であってもよい。
【００６５】
ライトビームが容器を介して移動する未知の距離は、例えば、限定しないが、スポット検知、調査レーザービームまたは参照ビームの焦点検知、または画像解析の手段により、画像システムの利用を用いて、壁の局在化の支援によって測定され得る。焦点検出システム（距離計）は、限定しないが、電気音響学的または電子的な手段を使用し得る。画像システムは、限定しないが、光源ヘッドと同じ側あるいは容器の上に、位置し得る。
【００６６】
別の例において、光源ヘッドおよび検出器ヘッドは、袋またはトレーなど、固定された構成および容器に取り付けられ、測定の対象は、光源ヘッドおよび検出器ヘッドの中間または前に、光源ヘッド、および検出器ヘッドへと置かれ、気体を調査するライトビームは容器を介して送られ、代替的には反射される。光が容器を介して移動する距離は、容器の壁の位置または容器内部の反射器を判定するためにレンジング技術を使用して推定される。レンジング方法は、例えば限定しないが、パルスレーザまたは三角測量を備えたレーザー測距装置、または超音波エコーレンジング（ｕｌｔｒａ  ｓｏｕｎｄ  ｅｃｏ  ｒａｎｇｉｎｇ）含んでいる。
【００６７】
図５は、デュアル・チャンネルシステム４００の例を示す。気体を調査する光は、未知の光路長など未知の寸法を有する容器４６を介して、第一の光源ヘッド４２によって送られる。光は、第一の光源ヘッド４２反対側に位置し得る第一の検出器ヘッド４３によって検出される。あるいは、第一の光源ヘッド４２および第一の検出器ヘッド４３は、同じ側に位置してもよく、反射器は反対側に位置する。
【００６８】
第二の検出器ヘッド４５に第二の光のソースヘッド４４からの光を送信する並列の気体測定チャネルは、容器内に存在する第二の気体の吸収分光法によって気体を調査する光の距離を測定するために利用される。この第二の気体は、既知濃度の、例えば、限定しないが、水蒸気または二酸化炭素を有する。第二のチャンネル・レーザー・ビームは、容器４６を介する第一の気体感知レーザー光と、重なるか、または少なくとも同様の経路を移動する。代替的に、第二の光源ヘッド４４および第二の検出器ヘッド４５は、反対側に位置する反射器と同じ側に位置してもよい。
【００６９】
この方法による利点は、第２のチャンネルに対して較正することによって、容器４６を介して光路長Ｌを測定する必要がことにないということである。
【００７０】
図６は、デュアル・チャンネルを有するシステム９００の別の例を示す。第一の光源ヘッド９２および第二の光源ヘッド９４は、第一の検出器ヘッド９３および第二の検出器ヘッド９５の反対側に取り付けられる。光源ヘッドおよび検出器ヘッドは、例えばエンクロージャを介して、又は壁の間にビームを送る既知の距離の、固定された構成で取り付けられる。代替的に、いくつかの例において、光源ヘッドおよび検出器ヘッドは、同じ側で取り付けられてもよく、反射器は反対側面で取り付けられてもよい。
【００７１】
図６のＡは、濃度が推測される主要な気体の測定の対象であるシステム９００を示す。図６のＢは、ビームの経路中に位置決めされる容器９６を備えるシステム９００を示す。この例において、第二の光源ヘッド９４および第二の検出器ヘッド９５は、第二の並列な気体感知チャンネルを形成している。この第二のチャネルは、主要な気体以外に少なくとも１つの付加的な気体を測定するためにレーザー吸収分光法を使用するように構成される。この少なくとも１つの付加的な気体は、存在しないか、または密封された容器内部に既知濃度で少なくとも存在し得る。少なくとも１つの付加的な気体が、容器の周囲に、自然にまたは選択によって存在するはずである。存在しても存在しなくても、容器９６を備えたシステム９００における第二のチャンネルの気体吸収の差によって、容器内部の気体を介して光が通る距離の測定が可能となる。この構成において、第二のチャンネル・レーザー・ビームは、主要な第一の気体感知レーザー光と、重なるか、または少なくとも同様の経路を移動する。
【００７２】
図７は、トレー１００１の内部の少なくとも１つの気体の濃度の測定のために、システム１０００の例を示し、ここで光路長は未知である。第一の光源および第一の検出器は、トレー１００１の外部の位置１００４に位置決めされ、第二の光源および第二の検出器は、トレー１００１の外部の位置１００５に位置決めされる。第一の光源および第一の検出器は、濃度が推定される主要なガスを測定するために配列される。第二の光源および第二の検出器は、既知濃度を有する少なくとも１つの第二の気体を測定するために構成される。
【００７３】
少なくとも１つの第二の気体、例えば、限定しないが、水蒸気または二酸化炭素は、既知濃度を有する。第一および第二の光源は、トレー１００１の壁を介して伝わる。光は、容器の内容物１００２によって、または内容物１００２の表面に位置決めされた別々の反射面によって反射され得る。
【００７４】
代替的に、及び／または、いくつかの例において、第一および第二の光源からの光は、壁１００１を介して伝わり、トレーの壁により反射される。
【００７５】
いくつかの例において、反射する領域はトレーの側壁の内部表面であってもよい。側壁の内表面を照らしかつ反射光を検出するために、ライトビームは、角度でのトレーの側壁でトレーのトップフィルム、およびヘッドスペースを介して配光される。検出器（複数可）は後方反射された光を集めるための角度で並べられる。この構成は、パッケージの内容物がライトビームに干渉しないだろうことを保証する。
【００７６】
代替的に、いくつかの例において、トレーの側壁が透明かどうかによって、検出器（複数可）は、伝達モード（ｔｒａｎｓｍｉｓｓｉｏｎ  ｍｏｄｅ）において使用されてもよい。伝達モードにおいて、検出器（複数可）は側壁の外部に位置し、トレーの上面を介して、ヘッドスペースを介して、および側壁を介する角度で伝えられた光を検出するように並べられる。
【００７７】
第一のビーム光および第二のビーム光は、並列ビームとしてトレーに伝わってもよく、同じビーム経路とオーバーラップするか、または少なくとも同様の経路を伝わる。ビームが同一のビーム経路でオーバーラップする場合、１つの検出器のみが必要であってもよい。同じ検出器が使用される場合、ビームは、周波数の変調によって、または検出器の前のフィルタの使用によって分離され得る。
【００７８】
少なくとも第２気体の濃度が既知なので、トレー１００１における光路長は判定または較正され得る。従って、主要な気体の濃度は推定することができる。
【００７９】
並列またはオーバーラップするビーム経路を得るために、光源と検出器の位置の構成は、変えられてもよく、部分的に透明なミラーおよびフィルタなどの構成要素とさらに組み合わせられてもよい。
【００８０】
図８はシステム１１００を示す。レーザーヘッド１１０４および検出器ヘッド１１１０は、部分的に透明なミラー１１０９、およびレンズアセンブリ１１０６と１１０７を使用して、共焦点の構成で置かれる。検出器１１１０では、共焦点以外の点から反射する光を抑えるピンホール１１１１がある。対物レンズ１１０７は光学軸の方向に沿って移動可能である。容器の内部の光路長を見つけるために、最大信号が検出器１１１０によって検出されるまで、自動システムは対物レンズ１１０７を移動させる。それは、含有量１１０２または容器１１０１の内部の追加の反射エリアの遠い表面に対物レンズ１１０７がいつ焦点を合わせるかに相当する。対物レンズ１１０７の焦点距離の作動距離は知られており、容器１１０１の第一の表面１１１２から対物レンズ１１０７の距離を知ることができるので、容器１１０１の内部の光路長を判定することができる。
【００８１】
いくつかの例において、反射エリアはトレーの側壁の内表面かもしれない。側壁の内表面を照らし、かつ反射光を検出するために、共焦点の全体の配置は、側壁の内表面への光を放射し、且つ検出光に側壁の内表面から反射するような角度で並べられる。この構成は、パッケージの内容物がライトビームに干渉しないだろうことを保証する。
【００８２】
代替的に、図９で示される例において、レーザー１２０４は、容器１２０１の裏面、または内容物１２０２、または容器１２０１内部の付加的な反射領域を照らす。レーザー１２１０は、検出器１２０５、ピンホール１２０８、レンズ１２０６、および移動可能な対物レンズ１２０７を含む、共焦点の配置から分離される。照明は、共焦点の配置および容器１２０１の第一の壁１２０９に関しての十分に定められた位置から行われる。いくつかの例において、反射する領域はトレーの側壁の内部表面であってもよい。側壁の内表面を照らしかつ反射光を検出するために、ライトビームは、角度でのトレーの側壁でトレーのトップフィルム、およびヘッドスペースを介して配光される。共焦点の配置も  側壁の内表面から反射された光を判定するための角度で配置される。この構成は、パッケージの内容物がライトビームに干渉しないだろうことを保証する。
【００８３】
本開示はさらに、少なくとも１つの可撓性または可変の側面または壁を有する容器中の、少なくとも第一のガスの濃度を判定する方法に関連し、該方法は、容器を介した光路長の推定する工程を含む。方法はまた、推測された光路長を介して光源と検出器の間の第一の光信号を送信する工程、および、検出された第一の光信号および光路長に基づいて、容器中の第一の気体の濃度を判定する工程を含む。
【００８４】
いくつかの例において、方法は、容器側面の光源と検出器、および容器の反対側で第一の光信号を反射するために配置される反射器を位置決めする工程を含む。
【００８５】
いくつかの例において、光路長の推定は、既知濃度を有する第二の気体の吸収スペクトルを測定するための、第二の光源と検出器の間での第二の光信号の送信に基づいている。
【００８６】
いくつかの例において、光路長の推定は、既知濃度を有する第二の気体の吸収信号を測定するための、第二の光源と第二の検出器の間での第二の光信号の送信に基づいている。
【００８７】
いくつかの例において、第二の気体は容器内部及び／又は容器の外側にある。
【００８８】
いくつかの例において、第二の信号は、第一の光信号と同じ光路長で送信される。
【００８９】
いくつかの例において、光路長の推定および第一の信号の送信は、共焦点の構成を使用して行なわれる。
【００９０】
いくつかの例において、容器を介する光路長の推測は、パルスレーザまたは三角測量によるレンジファインダー（ｒａｎｇｅ  ｆｉｎｄｅｒ）の利用、または超音波エコーレンジングに基づいている。
【００９１】
いくつかの例において、容器を介する光路長の推定は、壁の局在化の画像化法の利用に基づいており、ここで壁の局在化の画像化法は焦点検出、または点検出または画像解析に基づいている。
【００９２】
本開示はまた、少なくとも一つの可撓なまたは可変の側面または壁を有する容器中で、少なくとも１つの第一の気体の濃度を判定するシステムに関する。システムは、容器を介して第一の光信号を送信するための光源、および送信される光を検出するための検出器を含む。システムは、第一の光信号が容器を介して伝わる未知の光路長を推定するための推定ユニット、および、第一の光信号の検出された光と、推定ユニットにより推定された光路長に基づき、容器中の少なくとも第一の気体の濃度を判定するための制御ユニットを、さらに含んでいる。
【００９３】
いくつかの例において、推定ユニットは、既知の光路長に関する既知濃度を有する第二の気体を介して、第二の光信号を送信するための第二の光源を含む。
【００９４】
いくつかの例において、制御ユニットは第二の光信号によって得られた吸収信号に基づいて、未知の光路長を推定するようにさらに構成されている。
【００９５】
いくつかの実施例において、システムは、移動可能な対物レンズ、ならびに、共焦点の構成を有する対物レンズ、検出器光源、および推定ユニットを含む。
【００９６】
いくつかの例において、推定ユニットは、パルスレーザまたは三角測量を有するレンジファインダー、または超音波エコーレンジングである。
【００９７】
いくつかの例において、推定ユニットは壁の局在化のシステムであり、ここで壁の局在化の画像システムは、焦点検出、点検出、または画像解析に基づく。
【実施例】
【００９８】
可撓なパッケー内部で酸素を感知する測定方法の異なる三例が行われた。これら三つの実験は、精度と変動の両方に関する増大した性能を示すために行われた。
【００９９】
【表１】
0006588426.tif 000002
【０１００】
研究された試料はパスタの袋であった。酸素含有量は、レーザー技術の結果とよく一致して、０．６％  ０２まで参照の技術によって測定された。
【０１０１】
レーザーは、レーザーヘッド内に置かれ、それはレーザーに対して袋をしっかりと押しつけるのを不可能にする。レーザー光が、袋を通り抜ける前に、２０．９パーセントの酸素を有する１４ｍｍの長の空気のカラムを通り抜けるので、これはずれ（ｏｆｆｓｅｔ）を生み出す。レーザーとレーザーモジュールの端部との間の距離による吸収は、得られた吸収信号から除去される。
【０１０２】
引っ張りの実施例
構成は、図１に示された構成に関して類似していた。レーザーヘッドと検出器は、既知の距離（４８．１ｍｍ）を離してセットされた。引っ張りの技術、すなわちレーザーおよび検出器に近接して接触している試料の壁の使用の改良された性能を示すために、２セットの測定を行った。
【０１０３】
第一のセットにおいて、袋は、レーザーヘッドと検出器の間に任意に置かれ、容器に接する光源ヘッドおよび検出器ヘッドを有さずに、一秒間測定された。第二のセットにおいて、袋は、光源ヘッドと検出器ヘッドの間の空隙を満たすための外部手段によって引き延ばされるか引っ張られ、袋の同様に任意の位置において測定された。任意に置かれ、次に伸ばされた袋を用いて、１５回の測定を行った。
【０１０４】
二つの測定セットの結果は、図１０において箱ひげ図５００に示される。測定値の精度および変動の明瞭な改善は、外部手段による壁の位置決めによって得られる（例えば、引っ張らない５１０と比較して、引っ張り５１１、または吸引の使用）。
【０１０５】
図１０は、試料の壁が光源ヘッドおよび検出器ヘッドに接近して外部に位置しているので、気体感知の改善された性能を示している。容器の試料酸素含有量は０．６％  ０２であった。
【０１０６】
押す実施例
構成は、図２に示された構成に関して類似している。光源レーザーヘッドと検出器ヘッドは、既知の距離（６４．３ｍｍ）で離してセットされた。押しの技術、すなわち光源レーザーヘッドおよび検出器ヘッドに近接して接触している試料の壁を使用する、改良された性能を示すために、２セットの測定を行った。
【０１０７】
第一のセットにおいて、袋は、レーザーヘッドと検出器の間に任意に置かれ、一秒間で測定された。
【０１０８】
第二のセットにおいて、袋は、底の部分で一緒に押されるので、その結果、上部がレーザーヘッドと検出器の間の空間を満たし得る。任意に置かれ、次に押された袋を用いて、１５回の測定を行った。
【０１０９】
二つの測定セットの結果は、図１１において箱ひげ図６００に示される。測定値の精度および変動の明瞭な改良は、壁を押さないこと６１０と比較して、光源ヘッドおよび検出器ヘッドに対して近接して壁を押すこと６１１により得られる。
【０１１０】
図１１は、試料の壁が他の位置で試料を押圧することによって光源ヘッドおよび検出器ヘッドに向かって押されるので、気体感知の改善された性能を示している。容器の試料酸素含有量は０．６％  ０２であった。
【０１１１】
自動感知の実施例
測定は、パッケージの壁の至近距離ニレーザーおよび検出器を移動させることにより、およびレーザーと検出器を固定させる場合と比較して距離を検出することにより、性能の向上を示すために行われた。
【０１１２】
レーザーヘッドと検出器は６４．７ｍｍ離してセットされた。検出器はその後、レーザーヘッドまで距離を詰めるための方向に動かされ、その後その原位置まで戻された。レーザーヘッドと検出器の間の距離は再度測定された。この手順は、５回繰り返され、６４．７ｍｍの平均距離を結果として得た。すべての測定について袋は、レーザーヘッドに接しているような方法で、レーザーヘッドと検出器の間に任意に置かれ、１秒間測定される。同じ任意の位置に関して、検出器は、それが袋に接するまでレーザーヘッドの方向へ動かされる。値は再測定され、レーザーヘッドと検出器の間の距離が測定された。
【０１１３】
二つの測定セットの結果は、図１２において箱ひげ図７００に示される。レーザーと検出器がパッケージへと動かされて距離が測定される場合、パッケージがレーザーと検出器の間に固定された距離で置かれる場合と比較して、測定値の精度および変動の明瞭な改良が得られる。
【０１１４】
図１２は、レーザーと検出器がパッケージ壁に対して近接した距離へと動かされ、固定され位置決めされた光源ヘッドおよび検出器ヘッド（「無調整」）７１０と比較して、距離が測定される（「距離調整」）７１１ので、気体感知の改善された性能を示す。容器の試料酸素含有量は０．６％０２であった。
【０１１５】
トレー容器のヘッドスペースの気体の解析の実施例において、トレー容器におけるヘッドスペースの気体が分析された。ＭＡＰを備えたトレー・パッケージは、透明または有色であり得る剛性プラスチックから成る。食料内容物を保護するために、トレーは気体混合物で満たされており、また、プラスチックフィルムはトレーの端のまわりで密閉される。プラスチックフィルムは典型的には透明か、または部分的に透明である。多くの場合、トレーは軽い過剰圧力で満たされ、その結果、トップフィルムが上向きに膨れる。バルジングは典型的には十分に定められていないので、内側の気体を分析するためのヘッドスペースにおいて、十分に定められた光路長を生じる必要性がある。
【０１１６】
気体測定の構成が、図１３のＡおよび１３のＢにおいて示される。例証される構成１３００は、図２および３に関して記述された典型的な装置と同様に働く。
【０１１７】
図１３のＡは、光源１３０１（反射構成の検出器１３０２）を含む構成１３００を示す。代替的に、直接伝動構成１３０２’における検出器が使用されてもよい。試料は、フィルムのように、少なくとも、部分的に透明な、可撓な保護１３０７を備えるトレー１３０３（パッケージ）である。構成は、フォイルなど、トレー１３０３の保護トップ１３０７を押し下げるための機械的手段１３０５をさらに備える。この機械的な手段１３０５は、容器の壁または側面の外部の間で接触させ、それによって接触がなされる場合、容器を介して判定可能な光路長を作り出すための手段である。構成１３００はまた、いくつかの例において、トレー１３０５を位置決めするために第二の機械的手段も含み得る。
【０１１８】
図１３のＢは、図１３のＡで示されたものと同じ典型的な構成だが、側面図からのものである。反射構成における光源１３０１および検出器１３０２。検出器１３０２’は、送信モードにおける代替構成を示す。図１３のＡおよび１３のＢにおいて、ライトビームは、トレー１３０３の側壁１３０６において、トレー１３０３のトップフィルム１３０７を介しておよびヘッドスペースを介して、光源１３０１によって、ある角度で配向される。この構成は、パッケージの内容物がライトビームに干渉しないだろうことを保証する。トレー１３０３の側壁１３０６が透明かどうかによって、反射モード１３０２の検出器または送信モード１３０２’の検出器のいずれかが使用され得る。代替的に、トレー１３０３の側壁１３０６が透明である場合、検出器１３０２’（図示せず）の代わりに反射面が使用され得る。
【０１１９】
図示された例において、トレー１３０３は随意の機械装置１３０４によって支援されて位置決めされ、その結果、側壁の位置は十分に定められている。アセンブリ１３０５は、レーザー１３０１と側壁１３０６の間のヘッドスペースの内部の、十分に定められた光経路を提供するために、フィルム１３０７の上部を押し下げる。それにより、レーザー１３０１と検出器１３０２、１３０２’の間の十分に定められた光路長が作られる。
【０１２０】
いくつかの例において、光源１３０１および検出器１３０２は、機械装置１３０５に機械的に取り付けられる。
【０１２１】
図１４は、図１３のＡおよび１３のＢに関して記述された構成を使用して、百分率でのＯ２濃度の１００の実測値１４００を示す。トレーは、黒い側壁および透明なトップフィルムが有していた。トレーはひき肉で満たされた。トレーは黒いプラスチック製であったが、有用な信号を提供する側壁からの十分な拡散反射があった。本開示の様々な例が本明細書に記載且つ説明された一方で、当業者は、機能を実行するために、及び／又は、結果及び／又は本明細書に記載される１以上の利点を得るために、様々な他の手段及び／又は構造を容易に想到し、そのような変形及び／又は修正の各々が、本開示の範囲内にあると考えられる。更に一般的に、当業者は、本明細書に記載される全てのパラメーター、寸法、材料、及び構成が典型的であることを意味し、且つ、実際のパラメーター、寸法、材料、及び／又は構成は、本開示の教示が使用される特定の出願に依存することを、容易に認識するであろう。また、ハードウェアによって方法を実行する上述のものとは異なる方法ステップが、本開示の範囲内で提供されてもよい。異なる特徴および開示のステップは、記載されたもの以外の組み合わせで、組み合わせられてもよい。本開示の範囲は単に、添付の特許請求の範囲によって限定される。
【図１】
0006588426.tif 000003
【図２】
0006588426.tif 000004
【図３】
0006588426.tif 000005
【図４】
0006588426.tif 000006
【図５】
0006588426.tif 000007
【図６】
0006588426.tif 000008
【図７】
0006588426.tif 000009
【図８】
0006588426.tif 000010
【図９】
0006588426.tif 000011
【図１０】
0006588426.tif 000012
【図１１】
0006588426.tif 000013
【図１２】
0006588426.tif 000014
【図１３Ａ】
0006588426.tif 000015
【図１３Ｂ】
0006588426.tif 000016
【図１４】
0006588426.tif 000017